(57)【要約】【課題】  良好な受信感度が得られる方向情報を使用者に提供し得る移動通信端末機の受信感度表示装置及びその方法を提供する。又、端末機の方向別受信感度情報を一緒に表示し得る移動通信端末機の受信感度表示装置及びその方法を提供する。【解決手段】  端末機の向かう方位を周期的に測定する方位測定部１５０と、受信信号の強度を測定する受信信号強度検出部１２０と、端末機の方位情報及びそれに対する受信信号強度を格納するメモリ１６０と、端末機の方向が変わるとき、メモリ１６０に格納された方位情報及び受信信号強度に基づいて、方向別受信信号強度を算出してディスプレー部１４０に表示する制御部１３０と、を含んで移動通信端末機の受信感度表示装置を構成する。【選択図】  図１
2004258029.tif 000002
【特許請求の範囲】
【請求項１】
端末機が向かう方位を周期的に測定する方位測定部と、
受信信号の強度を測定する受信信号強度検出部と、
端末機の方位情報及びそれに応じた受信信号強度を格納するメモリと、
端末機の方向が変わると、メモリに格納された方位情報及び受信信号強度に基づいて、方向別受信信号強度を算出してディスプレー部に表示する制御部と、を含んで構成されることを特徴とする移動通信端末機の受信感度表示装置。
【請求項２】
前記制御部は、
端末機の方向転換角度が基準値以上の時のみに、新しい方位及び受信信号強度をメモリに格納することを特徴とする請求項１記載の移動通信端末機の受信感度表示装置。
【請求項３】
前記方向別受信信号強度は、
受信感度グラフに表示されることを特徴とする請求項１記載の移動通信端末機の受信感度表示装置。
【請求項４】
前記受信感度グラフは、
メモリに記録された全ての情報を反映することを特徴とする請求項３記載の移動通信端末機の受信感度表示装置。
【請求項５】
前記受信感度グラフは、
東、西方位を示す横軸と、南、北方位を示す縦軸のグラフ上に、端末機が向かう方位及びそれに応じた受信信号強度を所定角度間隔に表示することを特徴とする請求項３記載の移動通信端末機の受信感度表示装置。
【請求項６】
端末機の方向を周期的にチェックする過程と、
変更された端末機の方向の受信信号強度を測定する過程と、
変更された端末機の方向及び受信信号強度をメモリに格納する過程と、
メモリに格納された端末機の方向及び受信信号強度を利用して端末機の方向別受信信号強度を計算した後、ディスプレー部に表示する過程と、を行うことを特徴とする移動通信端末機の受信感度表示方法。
【請求項７】
前記受信信号強度は、
端末機の方向転換角度が基準値以上の時のみに、測定されることを特徴とする請求項６記載の移動通信端末機の受信感度表示方法。
【請求項８】
前記方向別受信信号強度は、
受信感度グラフに表示されることを特徴とする請求項６記載の移動通信端末機の受信感度表示方法。
【請求項９】
前記受信感度グラフは、
メモリに記録された全ての情報を反映することを特徴とする請求項８記載の移動通信端末機の受信感度表示方法。
【請求項１０】
前記受信感度グラフは、
東、西方位を示す横軸と、南、北方位を示す縦軸のグラフ上に、端末機が向かう方位及びそれに応じた受信信号強度を所定角度間隔に表示することを特徴とする請求項８記載の移動通信端末機の受信感度表示方法。
【発明の詳細な説明】
【技術分野】
【０００１】
本発明は、移動通信端末機に係るもので、詳しくは、移動通信端末機の方向別受信感度を表示し得る受信感度表示装置及びその方法に関するものである。
【背景技術】
【０００２】
図６は従来の移動通信端末機のディスプレー部を示した平面図で、図示されたように、移動通信端末機のディスプレー部（画面）の上方端一部には、受信信号強度表示バー（Ｒｅｃｅｉｖｅｄ  Ｓｉｇｎａｌ  Ｓｔｒｅｎｇｔｈ  Ｉｎｄｉｃａｔｏｒ  ｂａｒ；ＲＳＳＩバー）として表現される受信信号強度、即ち、受信感度に対する情報が表示される。
【０００３】
このとき、前記受信感度情報は、端末機の受信信号強度検出部（Ｒｅｃｅｉｖｅｄ  Ｓｉｇｎａｌ  Ｓｔｒｅｎｇｔｈ  Ｉｎｄｉｃａｔｏｒ；ＲＳＳＩ）により検出され、該検出された受信感度情報は、マイクロ・プロセッサ部で運用される所定アルゴリズムによってディスプレー部に表示される。
【発明の開示】
【発明が解決しようとする課題】
【０００４】
然るに、従来移動通信端末機においては、受信信号強度表示バーを利用して現在の位置に対する受信感度情報のみを表示することで、使用者に最も良好な受信感度を得る位置情報を提供していなかったため、使用者は、端末機の感度が良くない場合、感度の良い場所を探して移動しなければならないという不都合な点があった。
【０００５】
本発明は、このような従来の課題に鑑みてなされたもので、最も良好な受信感度を得る方向情報を使用者に提供し得る移動通信端末機の受信感度表示装置及びその方法を提供することを目的とする。
【０００６】
又、端末機の各方向別受信感度情報を一緒に表示し得る移動通信端末機の受信感度表示装置及びその方法を提供することを目的とする。
【課題を解決するための手段】
【０００７】
このような目的を達成するため、本発明に係る移動通信端末機の受信感度表示装置は、端末機が向かう方位を周期的に測定する方位測定部と、受信信号の強度を測定する受信信号強度検出部と、端末機の各方位情報及びそれに応じた受信信号強度を格納するメモリと、端末機の方向が変わるとき、メモリに格納された各方位情報及び受信信号強度に基づいて、各方向別の受信信号強度を算出してディスプレー部にそれぞれ表示する制御部と、を含んで構成されることを特徴とする。
【０００８】
又、前記制御部は、端末機の方向転換角度が基準値以上の時のみに、新しい方位及び受信信号強度をメモリに格納することを特徴とする。
【０００９】
又、前記各方向別受信信号強度は、受信感度グラフにそれぞれ表示され、該受信感度グラフは、メモリに記録された全ての情報を反映することを特徴とする。
【００１０】
又、本発明に係る移動通信端末機の受信感度表示方法は、端末機の方向を周期的にチェックする過程と、変更された端末機の方向の受信信号強度を測定する過程と、変更された端末機の方向及び受信信号強度をメモリにそれぞれ格納する過程と、メモリに格納された端末機の各方向及び受信信号強度を利用して端末機の方向別受信信号強度を計算した後、ディスプレー部にそれぞれ表示する過程と、を順次行うことを特徴とする。
【００１１】
又、前記各受信信号強度は、端末機の方向転換角度が基準値以上の時のみに測定されることを特徴とする。
【００１２】
又、前記方向別受信信号強度は、受信感度グラフに表示され、該受信感度グラフは、メモリに記録された全ての情報を反映することを特徴とする。
【００１３】
又、前記受信感度グラフは、東、西方位を示す横軸と、南、北方位を示す縦軸のグラフ上に、端末機が向かう方位及びそれに応じた受信信号強度を所定角度間隔にそれぞれ表示することを特徴とする。
【００１４】
本発明の移動通信端末機の受信感度表示装置は、端末機が向かう方位を周期的に測定する方位測定部と、受信信号の強度を測定する受信信号強度検出部と、端末機の方位情報及びそれに応じた受信信号強度を格納するメモリと、端末機の方向が変わると、メモリに格納された方位情報及び受信信号強度に基づいて、方向別受信信号強度を算出してディスプレー部に表示する制御部と、を含んで構成されることを特徴とし、それにより上記目的が達成される。
【００１５】
前記制御部は、端末機の方向転換角度が基準値以上の時のみに、新しい方位及び受信信号強度をメモリに格納することを特徴としてもよい。
【００１６】
前記方向別受信信号強度は、受信感度グラフに表示されることを特徴としてもよい。
【００１７】
前記受信感度グラフは、メモリに記録された全ての情報を反映することを特徴としてもよい。
【００１８】
前記受信感度グラフは、東、西方位を示す横軸と、南、北方位を示す縦軸のグラフ上に、端末機が向かう方位及びそれに応じた受信信号強度を所定角度間隔に表示することを特徴としてもよい。
【００１９】
本発明の移動通信端末機の受信感度表示方法は、端末機の方向を周期的にチェックする過程と、変更された端末機の方向の受信信号強度を測定する過程と、変更された端末機の方向及び受信信号強度をメモリに格納する過程と、メモリに格納された端末機の方向及び受信信号強度を利用して端末機の方向別受信信号強度を計算した後、ディスプレー部に表示する過程と、を行うことを特徴とし、それにより上記目的が達成される。
【００２０】
前記受信信号強度は、端末機の方向転換角度が基準値以上の時のみに、測定されることを特徴としてもよい。
【００２１】
前記方向別受信信号強度は、受信感度グラフに表示されることを特徴としてもよい。
【００２２】
前記受信感度グラフは、メモリに記録された全ての情報を反映することを特徴としてもよい。
【００２３】
前記受信感度グラフは、東、西方位を示す横軸と、南、北方位を示す縦軸のグラフ上に、端末機が向かう方位及びそれに応じた受信信号強度を所定角度間隔に表示することを特徴としてもよい。
【発明の効果】
【００２４】
本発明に係る移動通信端末機の受信感度表示装置及びその方法においては、端末機の方向転換による方位及び該方位（方向）の受信信号強度をグラフ形態に使用者に提供するため、使用者は最良の受信感度情報を得るという効果がある。
【００２５】
又、端末機が方向転換する度毎に、方位及び受信信号の強度をメモリに格納して該当の各情報を表示するため、使用者が周辺の受信感度現況を容易に理解して、受信感度の最も良好な方位をより速く探し得るという効果がある。
【発明を実施するための最良の形態】
【００２６】
以下、本発明の実施の形態に対し、図面に基づいて説明する。
【００２７】
本発明は、使用者が受信感度の最も優秀な方向（方位）に端末機を指向して通話サービスを受けるように、方向別感度情報を提供する方案を開示している。従って、端末機の方向が所定角度以上変更されると、以前の方向別受信信号強度は勿論で、現在端末機が位置している方向に対する方向別受信信号強度を測定してディスプレー部に表示する。
【００２８】
図１は本発明に係る移動通信端末機の受信感度表示装置を示したブロック図で、図示されたように、本発明に係る移動通信端末機の受信感度表示装置は、受信感度情報（受信信号強度）を測定する受信信号強度検出部１２０と、端末機の方向情報を測定する方位測定部１５０と、測定された感度情報及び方向情報をそれぞれ格納するメモリ１６０と、端末機の感度情報及び方向情報をそれぞれ表示するディスプレー部１４０と、端末機の方向が変わるとき、測定された感度情報及び方向情報をメモリ１６０に格納すると共に、それら感度情報及び方向情報をディスプレー部１４０にそれぞれ表示する制御部１３０と、を含んで構成されている。
【００２９】
以下、このように構成された移動通信端末機の受信感度表示装置の動作に対して説明する。
【００３０】
まず、受信強度検出部１２０及び方位測定部１５０は、各測定された受信信号の強度及び端末機の方向をそれぞれ制御部１３０に出力し、該制御部１３０は、方位測定部１５０から出力された方向情報に基づいて端末機の方向を周期的にチェックし（Ｓ１０）、次いで、端末機の方向が変更されたかをチェックする（Ｓ２０）。このとき、制御部１３０は、測定された端末機の方向情報の変化量（方向転換角度）が基準値（Ｔｈｒｅｓｈｏｌｄ）以上の時のみに、端末機の方向が変わったと認識し、該基準値は、端末機の微細な動きにも受信感度表示装置が反応することを防止するための値である。
【００３１】
若し、端末機の方向が変更されると、制御部１３０は、受信強度検出部１２０及び方位測定部１５０から測定された受信信号の強度及び端末機の方向をそれぞれメモリ１６０に格納する（Ｓ３０）と共に、該当する各情報を利用して方向別感度情報を計算し（Ｓ４０）、その結果、端末機の方向転換角度が基準値（Ｔｈｒｅｓｈｏｌｄ）未満であると、制御部１３０は測定された各情報を廃棄する。
【００３２】
次いで、方向別感度情報が全て計算されると、制御部１３０は、メモリ１６０に格納された既存の情報と一緒に、現在の端末機の方向別感度情報を、図２の右側上方端に示したように、ディスプレー部１４０の一方側に受信感度グラフ形態に表示する（Ｓ５０）。このとき、方向別感度情報は、前記ディスプレー部１４０の右側上方端に限定されず、必要に応じて適切に変更し得る。
【００３３】
図３の（Ａ）〜（Ｃ）は、ディスプレー部１４０に表示される受信感度グラフの多様な表示態様を示した図で、各方向に対する受信感度がＲＳＳＩレベルに表示されている。各受信感度グラフ中、縦軸（南、北方向）と横軸（東、西方向）との交差点から放射状に伸びた直線の長さは受信信号強度を示し、その直線の方向は現在端末機が向かう方位を示している。
【００３４】
又、図４の（Ａ）〜（Ｃ）は、端末機の方向が変わる時、受信感度グラフ上に表れる方向情報及び感度情報（受信信号強度）を示した図で、図４の（Ａ）〜（Ｃ）の受信感度グラフには、以前の感度情報が一緒に表示されるが、図４の（Ａ）は端末機が北に向いている時の受信感度グラフで、図４の（Ｂ）は端末機が図４の（Ａ）の状態から右側に１０５度だけ方向転換した時の受信感度グラフで、図４の（Ｃ）は端末機が図４の（Ｂ）の状態から再び右側に１３５度だけ方向転換した時の受信感度グラフである。
【００３５】
従って、使用者は、ディスプレー部１４０の受信感度グラフに表示される方向別感度情報の、図３の（Ａ）〜（Ｃ）中、何れか一つに表示される方向別感度情報に基づいて、受信感度の最も優秀な方向（方位）に端末機を指向して通話サービスを受けることができる。
【００３６】
このような過程（Ｓ１０〜Ｓ５０）は、端末機の方向が変わる度毎に反復して行われるため、メモリ１６０には、使用者の過去の動きに対する各情報（方位及び受信信号強度）だけでなく、更新される各情報（方位及び受信信号強度）が継続して格納される。又、制御部１３０は、それら情報を、前記ディスプレー部１４０を通して使用者に提供するため、使用者は、受信感度の最も優秀な方向（方位）に端末機を指向して通話サービスを受けることができる。
【００３７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３８】
【図１】本発明に係る移動通信端末機の受信感度表示装置の構成を示したブロック図である。
【図２】図１のディスプレー部に表示される方向別受信信号強度を示した平面図である。
【図３】図３の（Ａ）〜（Ｃ）は、図１の受信感度グラフの多様な表示態様を示した説明図である。
【図４】図４の（Ａ）〜（Ｃ）は、図１の端末機の向かう方位が変わる時、受信感度グラフ上に表れる方位情報及び受信信号強度を示した例示図である。
【図５】図１の移動通信端末機の受信感度表示方法を示したフローチャートである。
【図６】従来の移動通信端末機のディスプレー部を示した平面図である。
【符号の説明】
【００３９】
１２０  受信信号強度検出部
１３０  制御部
１４０  ディスプレー部
１５０  方位測定部
１６０  メモリ
【図１】
2004258029.tif 000003
【図２】
2004258029.tif 000004
【図３】
2004258029.tif 000005
【図４】
2004258029.tif 000006
【図５】
2004258029.tif 000007
【図６】
2004258029.tif 000008